(57)【要約】【課題】素早く脱ぐことができ、激しい動きに対しても対応でき、また再使用の結合も容易に行なうことができ、さらに体裁も整えられた早変わり舞台衣裳を提供する。【解決手段】スラックス１は、前側分離部１ａと後側分離部１ｂとの開閉を可能にするトップオープンファスナー２を備えている。スラックス１の上縁には、前側上縁部１ｄと後側上縁部１ｅとからなる帯状上縁部１Ａが設けられている。後側上縁部１ｅの表面には第１の面ファスナー３ａが縫いつけられており、前側上縁部１ｄの裏面には第２の面ファスナー３ｂが縫いつけられている。また、前側上縁部１ｄの表面には第３の面ファスナー３ｃが縫いつけられており、装飾片４の裏面には第４の面ファスナー３ｄが縫いつけられている。【選択図】  図１
0003168034.tif 000002
【実用新案登録請求の範囲】
【請求項１】
一端部に務歯列の欠けている欠歯部分を有するトップオープンファスナーと、このトップオープンファスナーを解除して左右に引っ張ることによって分離する分離部とを有する早変わり舞台衣裳であって、
着衣状態で重なり合って前記トップオープンファスナーを覆う衣裳の一部からなる被覆部と、
前記被覆部により覆われる側の前記欠歯部分付近に設けられた第１の面ファスナーと、  前記第１の面ファスナーの略半分の長さを有し、前記被覆部が設けられた側の裏面に設けられて前記第１の面ファスナーの一部と結合する第２の面ファスナーと、
前記第１の面ファスナーの略半分の長さを有し、前記被覆部が設けられた側の表面に設けられた第３の面ファスナーと、
前記第１の面ファスナーと略同じ長さを有し、前記第１の面ファスナーのうち前記第２の面ファスナーと結合しない残りの部分および前記第３の面ファスナーにまたがって結合する第４の面ファスナーを有し、かつ表面が衣裳の生地と同じ生地で覆われた装飾片と、  前記装飾片と前記トップオープンファスナーのスライダーとを連結する紐と
を備えてなる早変わり舞台衣裳。
【考案の詳細な説明】
【技術分野】
【０００１】
本考案は、俳優、歌手や踊り子が舞台で着衣する早変わり舞台衣裳に関する。
【背景技術】
【０００２】
近年、たとえば１０〜２０代の若者が、グループを組んで舞台上で踊りながら歌うことが多くなってきている。このような場合、舞台上の若者たちは、予め複数種類の衣裳を重ね着しておき、その衣裳を外側から順次脱いでいくことによって観客に見せる衣裳を素早く変化させることがある。また、このような衣裳は、歌舞伎や手品師にも使用されている。このように、衣裳を外側から順次脱いでいく場合、従来は外側に着ている衣裳を仕付け糸によって縫合しておき、この縫合を解除することによって衣裳を素早く脱いでいくことが古くから行なわれていた。しかしながら、一旦使用すると次の出演に備えてその都度仕付け糸によって縫合しなければならなず、手間がかかるという問題があった。
【０００３】
そこで、本考案者は、舞台上で衣裳を素早く変化させることを可能とする衣裳として、衣裳の左右に開いたり閉じたりする部分に、左右いずれかの上端部に務歯列のない欠歯部分を有するトップオープンファスナーを設けた衣裳を考案した（たとえば、特許文献１を参照）。この衣裳によれば、スライダーを欠歯部分に移動させてスライダーを外し、トップオープンファスナーを左右に引っ張るだけで、ファスナーの結合を解除して衣裳を左右に分離することができるので、外側に着ていた衣裳を素早く脱ぐことができる。
【先行技術文献】
【特許文献】
【０００４】
【特許文献１】実開昭５３−８０５０５号公報
【考案の概要】
【考案が解決しようとする課題】
【０００５】
しかしながら、トップオープンファスナーを用いた場合、激しい動きによってスライダーが移動してしまい、意図せずに衣裳が脱げてしまうおそれがある。
そこで、このような不測の事態が起きないように、欠歯部分の近辺をフォックやボタンで留めておき、スライダーに外力が加わることを防ぐことが考えられる。しかしながら、この手法では、フォックやボタンの取り外しに手間取ってしまうおそれがあり、早変わり衣裳には適さない。一方、欠歯部分の近辺を面ファスナーで結合することも考えられる。しかしながら、一対の面ファスナーの結合だけでは、激しい動きによって面ファスナーが外れてしまうおそれがある。
【０００６】
本考案は、このような課題を解決するためになされたものであり、素早く脱ぐことができ、激しい動きに対しても対応でき、また再使用の結合も容易に行なうことができ、さらに体裁も整えられた早変わり舞台衣裳を提供することを目的とする。
【課題を解決するための手段】
【０００７】
本考案に係る早変わり舞台衣裳は、
一端部に務歯列の欠けている欠歯部分を有するトップオープンファスナーと、このトップオープンファスナーを解除して左右に引っ張ることによって分離する分離部とを有する早変わり舞台衣裳であって、
着衣状態で重なり合って前記トップオープンファスナーを覆う衣裳の一部からなる被覆部と、
前記被覆部により覆われる側の前記欠歯部分付近に設けられた第１の面ファスナーと、  前記第１の面ファスナーの略半分の長さを有し、前記被覆部が設けられた側の裏面に設けられて前記第１の面ファスナーの一部と結合する第２の面ファスナーと、
前記第１の面ファスナーの略半分の長さを有し、前記被覆部が設けられた側の表面に設けられた第３の面ファスナーと、
前記第１の面ファスナーと略同じ長さを有し、前記第１の面ファスナーのうち前記第２の面ファスナーと結合しない残りの部分と前記第３の面ファスナーにまたがって結合する第４の面ファスナーを有し、かつ表面が衣裳の生地と同じ生地で覆われた装飾片と、  前記装飾片と前記トップオープンファスナーのスライダーとを結ぶ紐と、を備えることを特徴とする。
【考案の効果】
【０００８】
本考案に係る早変わり舞台衣裳によれば、面ファスナー同士の結合を解除し、トップオープンファスナーのスライダーを欠歯部分に移動させてスライダーを外した上で、分離部を左右に引っ張ることによって衣裳を分離し、素早く衣裳を脱ぐことができる。
また、第１および第２の面ファスナーとを結合するだけでなく、第４の面ファスナーを第１および第３の面ファスナーと結合することによって、面ファスナーによる結合を強化しているので、激しい運動によって面ファスナー同士の結合が解除されてしまうようなことがない。
【０００９】
また、装飾片の表面は衣裳の生地と同じ生地で覆われているので、着衣状態ではこの装飾片が第１および第３の面ファスナーを覆っているため、第１および第３の面ファスナーによって体裁が損なわれるようなことがない。
また、装飾片が紐によってトップオープンファスナーのスライダーに連結されているため、装飾片を引っ張ることによって、第４の面ファスナーと第１および第３の面ファスナーとの結合を解除すると同時に、装飾片と結ばれた紐によってスライダーを欠歯部分まで移動させ、トップオープンファスナーの結合を解除することができる。このため、装飾片を引っ張るだけで、第４の面ファスナーと第１および第３の面ファスナーとの結合と、トップオープンファスナーの結合とを解除することができ、より素早く衣裳を脱ぐことができる。加えて、面ファスナー同士の結合を解除したときに装飾片が舞台上で飛び散って紛失してしまうようなこともない。
【図面の簡単な説明】
【００１０】
【図１】本考案の実施の形態に係るスラックスのトップオープンファスナーを一部開いた状態を示す左側面図である。
【図２】本考案の実施の形態に係るスラックスのトップオープンファスナーおよび面ファスナーを結合した状態を示す左側面図である。
【図３】本考案の実施の形態に係るスラックスを模式的に示す平面図で、右側は面ファスナーの結合を解除した状態を示し、左側はトップオープンファスナーを閉じた状態を示している。
【図４】本考案の実施の形態に係るスラックスのすべての面ファスナーを結合させた状態を示す断面図である。
【考案を実施するための形態】
【００１１】
先ず、本考案に係る早変わり舞台衣裳をスラックスに実施した図面を参照してその概要を説明する。なお、図１および図２は、説明の便宜上スラックスの右側のみを示しているが、図３に示すように同じ構造を対称にしたものが左側にも設けられている。
本実施の形態に係るスラックス１は、図１〜４に示すように、前側分離部１ａおよび後側分離部１ｂの開閉を可能にするトップオープンファスナー２を備える。また、スラックス１の前側分離部１ａの縁には被覆部１ｃが一体に設けられており、前側分離部１ａおよび後側分離部１ｂが閉じた状態で、この被覆部１ｃがトップオープンファスナー２を覆い隠すことになる。
【００１２】
図１および図２に示すように、スラックス１の上縁には、前側上縁部１ｄおよび後側上縁部１ｅからなる帯状上縁部１Ａが設けられている。後側上縁部１ｅの表面には第１の面ファスナー３ａが縫いつけられており、前側上縁部１ｄの裏面には第２の面ファスナー３ｂが縫いつけられている。また、前側上縁部１ｄの表面には第３の面ファスナー３ｃが縫いつけられており、装飾片４の裏面には第４の面ファスナー３ｄが縫いつけられている。ここで、第１の面ファスナー３ａおよび第４の面ファスナー３ｄの長さは略同じ（たとえば、１０ｃｍ程度）であるのに対し、第２の面ファスナー３ｂおよび第３の面ファスナー３ｃの長さはその約半分（たとえば、５ｃｍ程度）である。このため、図４に示すように、第１の面ファスナー３ａの右半分と第２の面ファスナー３ｂとを結合させた上で、第１の面ファスナー３ａの左半分と第３の面ファスナー３ｃとにまたがって第４の面ファスナー３ｄを結合させることになる。すなわち、第１の面ファスナー３ａ上に第２の面ファスナー３ｂを結合し表面に現れた第３の面ファスナー３ｃと前記第１の面ファスナー３ａとに第４の面ファスナー３ｄを互いに結合させることによって、前側上縁部１ｄおよび後側上縁部１ｅを閉じるとともに、前側上縁部１ｄおよび後側上縁部１ｅを装飾片４によって覆うことになる。
【００１３】
なお、装飾片４の表面はスラックス１の生地と同じ生地で覆われている。このため、面ファスナー同士を結合させた状態では、第１の面ファスナー３ａおよび第３の面ファスナー３ｃを覆う装飾片４が周りの生地と同化し、体裁が損なわれることがない。
また、第４の面ファスナー３ｄが設けられた装飾片４は、紐５によってトップオープンファスナー２のスライダー２ａと連結されているために、すべての結合を解除したときに装飾片４が飛散して紛失してしまうおそれがない。
【００１４】
次に、トップオープンファスナー２について説明する。
トップオープンファスナー２は、図１に示すように、互いに向き合うように多数の務歯を列設した右務歯列２ｂおよび左務歯列２ｃと、右務歯列２ｂと左務歯列２ｃとを結合させるための前記スライダー２ａとから構成されている。このトップオープンファスナー２は、一般に広く知られているファスナーの構造と何ら変わるものではない。しかし、この考案の特徴の一つとして、左務歯列２ｂの上端部に、スライダー２ａから左務歯列２ｃを外すための欠歯部分２ｄが存在していることがある。これに対し、右務歯列２ｃの上端部には欠歯は設けられておらず、スライダー２ａが上に抜けてしまうことを防ぐための上止具２ｅが設けられている。
【００１５】
また、トップオープンファスナー２は、図２に示すように、スラックス１の下端まで伸びている。そして、スライダー２ａを下端まで引き下げて図示しない箱体に収納したときには、右務歯列２ｂおよび左務歯列２ｃがすべて引き離された状態になり、そこで左務歯列２ｃの下端にある図示しない蝶棒をスライダー２ａから外せば、前側分離部１ａおよび後側分離部１ｂを左右に完全に分離することができる。
一方、スライダー２ａを下端まで移動させなくても、スライダー２ａを上端の欠歯部分２ｄまで移動させて左務歯列２ｃをスライダー２ａから外すことができる。スライダー２ａを外した後、上端の部分を左右に引っ張ることによって、右務歯列２ｂおよび左務歯列２ｃの結合を上端から下側にむかって順に解除でき、この結果、前側分離部２ｂおよび後側分離部２ｃを左右に完全に分離することができる。この分離操作は、両手を使えば左右同時に行うことができ、弱い力でしかも素早くできる。
【００１６】
分解されたスラックス１を元の状態（通常のスラックスの状態）に戻すには、先ず、スライダー２ａを下端に下げた状態で左務歯列２ｃを上から挿通させた後、スライダー２ａを上端付近まで移動させることによって、トップオープンファスナー２の右務歯列２ｂおよび左務歯列２ｃのほぼ全てを結合させる。ここで、スライダー２ａを上端の欠歯部分２ｄまで移動させてしまうと、左務歯列２ｃがスライダー２ａから外れてしまい、右務歯列２ｂおよび左務歯列２ｃの結合が解除されてしまうので、スライダー２ａは欠歯部分２ｄよりもやや下側にとどめておく必要がある。
次いで、図２〜図４に示すように、第１の面ファスナー３ａの右半分と第２の面ファスナー３ｂとを結合させた上で、第１の面ファスナー３ａの左半分と第３の面ファスナー３ｃとにまたがって第４の面ファスナー３ｄを結合させた状態でスラックス１をはけばばよい。
【００１７】
次に、スラックス１の脱ぎ方について説明する。
まず、装飾片４を摘んで第４の面ファスナー３ｄを第１の面ファスナー３ａと第３の面ファスナー３ｃとの間の結合を解除すると同時に、装飾片４に結びつけられた紐５を引上げスライダー２ａを欠歯部分２ｄまで移動させてがスライダー２ａが左務歯列２ｃから外れた状態にする。
この後、第１の面ファスナー３ａと第２の面ファスナー３ｂとの結合を解除するとともに、後側上縁部１ｅと前側上縁部１ｄとを左右に引っ張ると、トップオープンファスナー２の右務歯列２ｂと左務歯列２ｃとの結合が上端から下方に向かって一気に解除され、前側分離部２ａおよび後側分離部２ｂを左右に分離させて広く開かれスラックス１を下に落とすだけで脱ぐことができる。文章で説明すると長くかかるようだが、実際には上記操作を左右両側を両手を使って行えば、ほとんど瞬時に行うことができる。
【００１８】
なお、第１の面ファスナー３ａと第４の面ファスナー３ｄとは同じ長さであるとして説明したが、たとえば左右１ｃｍ程度の誤差があってもよい。また、第２の面ファスナー３ｂと第３の面ファスナー３ｃの長さはその約半分であるものとして説明したが、少なくとも第１の面ファスナー３ａ，第４の面ファスナー３ｄの長さより短ければ、上述のように、第４の面ファスナー３ｄを、第１の面ファスナー３ａおよび第３の面ファスナー３ｃにまたがって結合させることができる。このため、第２の面ファスナー３ｂおよび第３の面ファスナー３ｃの長さは、第１の面ファスナー３ａおよび第４の面ファスナー３ｄの長さの半分に対して１ｃｍ程度の誤差があってもよい。何故なら、舞台衣装は観客から近くで見られるものではないから、１〜２ｃｍ程度の違いは観客に気づかれないからである。
【００１９】
また、本実施の形態ではスラックスを例にとって説明したが、本考案はスラックスに限定されるものではなく、たとえばトップオープンファスナーを備えるロングコートなど、トップオープンファスナーを備える舞台衣裳であれば如何なる種類の衣裳にも実施することができる。
【産業上の利用可能性】
【００２０】
本考案は、早変わり舞台衣裳の製造業などに利用可能である。
【符号の説明】
【００２１】
１…スラックス、１Ａ…帯状上縁部、１ａ…前側分離部、１ｂ…後側分離部、１ｃ…被覆部、１ｄ…前側上縁部、１ｅ…後側上縁部、２…トップオープンファスナー、２ａ…スライダー、２ｂ…右務歯列、２ｃ…左務歯列、２ｄ…欠歯部分、２ｅ…上止具、３ａ…第１の面ファスナー、３ｂ…第２の面ファスナー、３ｃ…第３の面ファスナー、３ｄ…第４の面ファスナー、４…装飾片、５…紐。
【図１】
0003168034.tif 000003
【図２】
0003168034.tif 000004
【図３】
0003168034.tif 000005
【図４】
0003168034.tif 000006